(57)【要約】【課題】入浴環境や快適性を妨げることなく、かつ入浴者にストレスを与えることなく、入浴中、浴槽水への溺没による入浴異常の発生を発見し、その溺没状態を解消させる。【解決手段】入浴者の異常を検知する浴室異常検知システム（２）であって、浴槽（４）内にいる人の生体情報（心拍数情報）を取得する生体センサー（センサー８）と、浴槽内の湯水（浴槽水ＢＷ）を排水する排水栓（６）と、生体センサーから取り込んだ生体情報に基づいて、浴槽内にいる人が浴槽内の湯水に溺没している異常入浴状態と判定する異常判定手段（異常判定部１０）と、異常判定手段が異常入浴状態と判定した場合、排水栓を開状態にさせて、浴槽内の湯水を排水させる制御手段（制御部１２）とを備える。【選択図】    図１
2020022678.tif 000002
【特許請求の範囲】
【請求項１】
入浴者の異常を検知する浴室異常検知システムであって、
浴槽内にいる人の生体情報を取得する生体センサーと、
前記浴槽内の湯水を排水する排水栓と、
前記生体センサーから取り込んだ前記生体情報に基づいて、前記浴槽内にいる人が前記浴槽内の湯水に溺没している異常入浴状態と判定する異常判定手段と、
前記異常判定手段が異常入浴状態と判定した場合、前記排水栓を開状態にさせて、前記浴槽内の湯水を排水させる制御手段と、
を備えることを特徴とする浴室異常検知システム。
【請求項２】
前記異常判定手段は、取得した生体情報から前記浴槽内にいる人の心拍数の急激な変化から前記浴槽内の湯水への溺没状態か否かを判断することを特徴とする請求項１に記載の浴室異常検知システム。
【請求項３】
さらに、入浴者に対し呼びかけメッセージを報知するメッセージ報知手段を備え、
前記制御手段は、前記異常判定手段の判定結果に基づいて前記メッセージ報知手段に前記メッセージを出力させ、
前記異常判定手段は、前記メッセージ報知手段による報知後に取得した前記生体センサーからの生体情報に変化が無い場合、前記異常入浴状態と判定することを特徴とする請求項１に記載の浴室異常検知システム。
【請求項４】
前記制御手段は、前記排水栓の開閉時間または排水量を制御し、前記浴槽内の湯水を所定量排出させることを特徴とする請求項１ないし請求項３のいずれかに記載の浴室異常検知システム。
【請求項５】
さらに、入浴しているか否かを検出する入浴監視センサーを備え、
前記異常判定手段は、前記入浴監視センサーが入浴状態を検出し、かつ前記生体センサーが検出した前記生体情報が異常状態を示す場合、入浴者が溺没している異常入浴状態と判定することを特徴とする、請求項１ないし請求項４のいずれかに記載の浴室異常検知システム。
【請求項６】
さらに、人の在、不在のセンサー領域により浴槽内の人の在、不在を検出する人監視センサーを備え、
前記異常判定手段は、前記生体センサーが生体情報を取得し、かつ前記人監視センサーが人の不在を検出する場合、入浴者が溺没している異常入浴状態と判定することを特徴とする、請求項１ないし請求項５のいずれかに記載の浴室異常検知システム。
【請求項７】
前記メッセージ報知手段は、浴室内のリモコン装置に設置されていることを特徴とする請求項３に記載の浴室異常検知システム。
【請求項８】
外部システムと連携させる端子部を備え、該端子部により前記異常入浴状態の判定出力を含む情報の送受を可能にしたことを特徴とする請求項１ないし請求項７に記載の浴室異常検知システム。
【発明の詳細な説明】
【技術分野】
【０００１】
本発明は入浴者の生体状態から入浴異常の発生を検知して、浴槽水への溺没状態を回避させる異常検知技術に関する。
【背景技術】
【０００２】
入浴中、入浴者に異常を生じて浴槽水に溺没状態となった場合、当事者が浴室外に連絡することは困難を伴う。介護者などが付き添う場合は別として、通常、浴室は入浴者の自由な空間であり、入浴者のプライバシーが維持される。浴室外の人が入浴者に気遣っていても、常時、入浴者を監視することには限界がある。
たとえば、ホテルの浴室内の異常検出では、浴室の洗面カウンタの下側に人体を検出する複数のセンサーが備えられ、複数のセンサーの中の１個または２個が入浴者を検出したときには正常と判断し、３個以上が所定時間以上連続して検出状態となるときには異常事態が発生したと判断することが知られている（たとえば、特許文献１）。
【先行技術文献】
【特許文献】
【０００３】
【特許文献１】特開平８−５０６９３号公報
【発明の概要】
【発明が解決しようとする課題】
【０００４】
ところで、浴室内を複数箇所から映像監視をすれば、異常か正常かの判断精度が高くなるであろう。しかしながら、浴室の自由な空間として、入浴の環境性を妨げ、自由度やプライバシーを制限することは、入浴に求められるべき快適さが損なわれ、入浴者を不快にするという課題がある。監視状態にあることを入浴者に感得させることは、入浴者にストレスを与え、入浴効果を低下させてしまうという課題もある。しかし、入浴中、浴槽水に溺没するという不測の事態は回避することが不可欠である。
斯かる課題について、特許文献１には開示や示唆はなく、特許文献１に開示された構成では斯かる課題を解決することができない。
そこで、本発明の目的は上記課題に鑑み、入浴環境や快適性を妨げることなく、かつ入浴者にストレスを与えることなく、入浴中、浴槽水への溺没による入浴異常の発生を発見し、その溺没状態を解消させることにある。
【課題を解決するための手段】
【０００５】
上記目的を達成するため、本発明の浴室異常検知システムの一側面は、浴槽内にいる人の生体情報を取得する生体センサーと、前記浴槽内の湯水を排水する排水栓と、前記生体センサーから取り込んだ前記生体情報に基づいて、前記浴槽内にいる人が前記浴槽内の湯水に溺没している異常入浴状態と判定する異常判定手段と、前記異常判定手段が異常入浴状態と判定した場合、前記排水栓を開状態にさせて、前記浴槽内の湯水を排水させる制御手段とを備える。
この浴室異常検知システムにおいて、前記異常判定手段は、取得した生体情報から前記浴槽内にいる人の心拍数の急激な変化から前記浴槽内の湯水への溺没状態か否かを判断してよい。
この浴室異常検知システムにおいて、さらに、入浴者に対し呼びかけメッセージを報知するメッセージ報知手段を備え、前記制御手段は、前記異常判定手段の判定結果に基づいて前記メッセージ報知手段に前記メッセージを出力させ、前記異常判定手段は、前記メッセージ報知手段による報知後に取得した前記生体センサーからの生体情報に変化が無い場合、前記異常入浴状態と判定してよい。
この浴室異常検知システムにおいて、前記制御手段は、前記排水栓の開閉時間または排水量を制御し、前記浴槽内の湯水を所定量排出させてよい。
【０００６】
この浴室異常検知システムにおいて、さらに、入浴しているか否かを検出する入浴監視センサーを備え、前記異常判定手段は、前記入浴監視センサーが入浴状態を検出し、かつ前記生体センサーが検出した前記生体情報が異常状態を示す場合、入浴者が溺没している異常入浴状態と判定してよい。
この浴室異常検知システムにおいて、さらに、人の在、不在のセンサー領域により浴槽内の人の在、不在を検出する人監視センサーを備え、前記異常判定手段は、前記生体センサーが生体情報を取得し、かつ前記人監視センサーが人の不在を検出する場合、入浴者が溺没している異常入浴状態と判定してよい。
この浴室異常検知システムにおいて、前記メッセージ報知手段は、浴室内のリモコン装置に設置されてよい。
この浴室異常検知システムにおいて、外部システムと連携させる端子部を備え、該端子部により前記異常入浴状態の判定出力を含む情報の送受を可能にしてよい。
【発明の効果】
【０００７】
本発明によれば、次のいずれかの効果が得られる。
【０００８】
(1) 検出した生体状態から入浴者が溺没状態になったことを把握して、浴槽水を排出することで、長時間の溺没状態を回避し、入浴者の身体への影響を抑えることができる。
(2) 入浴者の溺没状態を監視し、早急に浴槽水の排水を行うことで、浴槽水への溺没による事故の発生を回避できる。
(3) 入浴者の生体情報を検出して利用することで、入浴中か否かの監視や入浴者の身体状態などを監視することができ、浴室内に多数のセンサーを用いる必要がなく、部品数の削減や、検出処理の迅速化が図れる。
【図面の簡単な説明】
【０００９】
【図１】第１の実施の形態に係る浴室異常検知システムを示す図である。
【図２】Ａはセンサーにより浴槽水への溺没による異常入浴状態の検出状態の一例を示す図であり、Ｂは溺没による異常入浴状態に対して排水処理を実行した状態例を示す図である。
【図３】検出した生体情報に基づく溺没状態の判定処理の一例を示す図である。
【図４】入浴モニタリング処理の一例を示すフローチャートである。
【図５】第２の実施の形態に係る浴室異常検知システムを示す図である。
【図６】Ａは入浴の検出状態を示す図、Ｂはセンサーにより浴槽水への溺没による異常入浴状態の検出状態の一例を示す図であり、Ｃは溺没による異常入浴状態に対して排水処理を実行した状態例を示す図である。
【図７】入浴モニタリング処理の一例を示すフローチャートである。
【図８】第３の実施の形態に係る浴室異常検知システムであり、Ａは人の存在および入浴の検出状態を示す図、Ｂはセンサーにより浴槽水への溺没による異常入浴状態の検出状態の一例を示す図であり、Ｃは溺没による異常入浴状態に対して排水処理を実行した状態例を示す図である。
【図９】入浴モニタリング処理の一例を示すフローチャートである。
【図１０】浴室異常検知システムの実施例を示す図である。
【図１１】給湯器を示す図である。
【図１２】浴室異常検知システムの制御部を示す図である。
【図１３】入浴モニタリングの処理手順を示すフローチャートである。
【図１４】実施例２に係る浴室異常検知システムであり、Ａは入浴者の動きおよび入浴の検出状態を示す図、Ｂはセンサーにより浴槽水への溺没による異常入浴状態の検出状態の一例を示す図であり、Ｃは溺没による異常入浴状態に対して排水処理を実行した状態例を示す図である。
【図１５】異常入浴状態の判定機能の一例を示す図である。
【図１６】入浴モニタリングの処理手順を示すフローチャートである。
【発明を実施するための形態】
【００１０】
〔第１の実施形態〕
図１は、第１の実施の形態に係る浴室異常検知システムを示している。図１に示す構成は一例であり、本発明が図１に示す構成に限定されるものではない。
この浴室異常検知システム２は、たとえば浴槽４内に居る人、すなわち入浴者の状態をモニタリング（見守り）し、入浴者の溺没による異常入浴状態を検知して、浴槽水（ＢＷ）の排水処理を行う。
この浴室異常検知システム２には、たとえば図１に示すように、浴槽４に排水栓６やセンサー８が設置されるとともに、異常判定部１０、制御部１２を備える。そのほか、浴室異常検知システム２には、メッセージ報知部１４や異常報知部１６を備える。
【００１１】
センサー８は、入浴者の生体情報を検出する本発明の生体センサーの一例であり、たとえば浴槽４内にいる入浴者の心拍数を検出する心拍センサーや、入浴者の動きの有無を検出する人感センサーなどが含まれる。またセンサー８は、たとえば心拍センサーであれば心拍波形を検出してもよく、人感センサーであれば動きのタイミングや動作の軌跡、動いた距離などを検出または測定してもよい。
異常判定部１０は、たとえばコンピュータで構成され、センサー８が検出した生体情報に基づいて、入浴者の入浴状態をモニタリングし、浴槽４内の人の在・不在とともに、入浴者が浴槽水ＢＷに溺没した異常入浴状態か否かを判定する。そのほか、異常判定部１０は、たとえば心拍情報を利用する場合、入浴者の心拍数や心拍の強度などから健康状態の判定機能を備えてもよい。また異常判定部１０は、たとえば入浴者の動作情報を利用する場合、動作の大きさやその動作範囲、動きの状態などから、通常状態の動きかまたは発作やその他の体調異変により暴れているかなどの健康状態の判定機能を備えてよい。
制御部１２は、異常判定部１０の判定結果に基づき、異常入浴状態を解消させるように制御する手段の一例である。この制御部１２は、たとえば図示しない給湯器やこの給湯器のリモートコントローラ、もしくは独立した制御装置で構成されてもよい。制御部１２は、異常判定部１０からの判定出力を受ける。制御部１２は、判定出力が異常入浴状態である場合には、排水栓６を開状態にして、浴槽水ＢＷを浴槽４から排出させる。また、この排水栓６の開操作に際し、制御部１２は、たとえばメッセージ報知部１４や異常報知部１６を動作させ、入浴者への呼びかけや外部への異常報知処理を実行させる。
【００１２】
メッセージ報知部１４は、制御部１２の制御により浴室内に対してメッセージを出力する手段の一例であり、たとえば浴室リモコンのスピーカ機能などで構成される。そしてメッセージ報知部１４は、異常入浴状態と判定された入浴者に対し、音声や発光信号によってメッセージを出力し、異常入浴状態と判定されたことの通知や、居眠りなどによって溺没状態となっている入浴者の覚醒を促す。  このメッセージ報知はメロディや、電子音でたとえば、「ダイジョウブデスカ」、「オボレノオソレガアリマス」、「オウトウガアリマセン」、「オキテクダサイ」、「ニュウヨクジカンガオーバーデス」などの音声出力を行う。このメッセージ報知部１４はたとえば、浴槽４の近傍に設置される浴室リモコン（図２のリモコン装置１８）などに設置すればよい。そのほか、図示しない台所リモコンにおいても同様のメッセージを出力させて、入浴者に呼びかけメッセージがあったことを台所で確認可能にしてもよい。
異常報知部１６は、制御部１２の制御により、メッセージ報知部１４による呼びかけメッセージの出力後、入浴者からの反応が無い場合、浴室内や浴室外に対して異常入浴状態の発生の通知を行う手段の一例である。異常報知部１６は、たとえば浴室リモコンや台所リモコンのスピーカのほか、通信機能を利用して外部の携帯電話機などの通信端末、外部サーバー装置などに通知する手段である。
【００１３】
＜入浴の見守り処理＞
センサー８は、たとえば浴槽４の内部または浴槽４の周面、浴室内の壁やリモコン装置１８などに設置されており、入浴者と接触または浴槽水ＢＷを介して間接的に入浴者の生体情報を検出する。この実施の形態では、生体情報に基づく溺没などの異常入浴状態の監視として、センサー８は所定時間毎または連続的に心拍数を検出する。
センサー８は、たとえば図２のＡに示すように、入浴中に居眠りや意識混濁などが発生し、顔を下向きにしたことで顔面が溺没状態となっている入浴者の生体情報を収集する。このときセンサー８は、入浴者の心拍数を計測して、その結果を逐一異常判定部１０側に出力する。
異常判定部１０では、たとえばセンサー８から通知される心拍数情報を監視して、浴槽４内に人が居るか否かを判断するとともに、その入浴状態を監視し、異常の判定処理を実行する。異常判定部１０は、たとえば心拍数の値やその値の遷移状態に基づき、入浴者が溺没状態に陥っている、または溺没状態に陥る可能性があると判断し、異常入浴状態との判定結果を出力する。異常判定部１０は、この判定結果を制御部１２に通知する。
【００１４】
制御部１２は、たとえば異常入浴状態との判定結果を受けると、浴室内にあるリモコン装置１８にあるメッセージ報知部１４に対して呼びかけ処理の実行指示を出力する。また、制御部１２は、たとえば図２のＢに示すように、浴槽４の排水栓６に対して動作指示を出力し、開状態にさせて、排水管２０を通じて浴槽水ＢＷの排出処理を行う。
なお、制御部１２は、リモコン装置１８に対する呼びかけ処理を行った後に浴槽水ＢＷの排出処理を行ってもよく、または呼びかけ処理を行わずに異常入浴状態の判定結果を受領した際に浴槽水ＢＷの排出処理を行ってもよい。制御部１２は、たとえば、検出した生体情報の状態に基づき、溺没状態から緊急的に開放する必要があるか否かによって呼びかけ処理の実行順序や実行するか否かを決定してもよい。
【００１５】
＜入浴状態の判定＞
図３は、検出結果から溺没による異常入浴状態の判断処理例を示している。図３に示す処理内容、判定手順は一例である。
異常判定部１０は、たとえばセンサー８が検出した心拍数の情報に基づいて入浴者の溺没状態を判断する。この判断処理では、たとえば図３に示すように、時間経過に対する心拍数を含む生体情報の遷移状態を監視する。
異常判定部１０は、たとえば時間ｔ１において入浴者の心拍数情報αを取得した後、所定時間経過後の時間ｔ２の心拍数情報βを取得する。異常判定部１０は、心拍数情報αからβへの遷移状態を判断する。この判断では、たとえば心拍数情報αからβへの遷移が通常の入浴による心拍数の変化よりも急激に大きいなど、呼吸ができない溺没状態に特有の遷移状態となっているかを判断する。
【００１６】
異常判定部１０は、たとえば時間ｔ２のときの心拍数情報βを呼びかけに対する判断基準値とする。時間ｔ２から所定時間が経過した時間ｔ３で呼びかけメッセージ処理を行う。そして、異常判定部１０は、たとえば呼びかけから所定時間が経過した時間ｔ４の心拍数情報を取得し、判断基準値である心拍数情報βと比較する。その結果、異常判定部１０は、たとえば心拍数が心拍数情報βよりも増加した心拍数情報γとなる状態Ｘ１の場合、溺没状態と判断して異常入浴状態と判定し、減少した心拍数情報δとなる状態Ｘ２の場合、心拍数が安定化する時間ｔ５となったときに通常の入力状態と判定する。
【００１７】
なお、この異常判定処理では、たとえば溺没による心肺停止などにより、心拍数が急激に低下したか否かで判断してもよく、そのほか単純な心拍数の増加・減少のみならず溺没状態に陥ったときに生じる特有の心拍数の変化を示すデータと比較して異常入浴状態か否かを判断してもよい。また、異常判定処理は、たとえば生体情報として入浴者の動作情報を利用する場合、急に停止状態となることや、逆に暴れた状態となった場合に、溺没状態を含む異常入浴状態と判断してもよい。
【００１８】
＜入浴モニタリング＞
図４は入浴をモニタリングによる浴室異常検知の処理手順の一例を示している。この処理手順や処理内容は一例であり、本発明が斯かる構成に限定されない。またこの入力モニタリング処理は、浴室異常検知方法やそのプログラム処理の一例である。
異常判定部１０は、センサー８から入浴者の生体情報を取得し（Ｓ１１）、その生体情報に基づいて入浴状態の判断を行う（Ｓ１２）。異常判定部１０は、入浴者が溺没状態か否かを判定し（Ｓ１３）、溺没状態で無ければ（Ｓ１３のＮＯ）、生体情報の取得（Ｓ１１）と入浴状態の判断（Ｓ１２）を繰り返す。
【００１９】
また制御部１２は、入浴者が溺没状態であると判定された場合（Ｓ１３のＹＥＳ）、メッセージ報知部１４に指示情報を出力し、入浴者への呼びかけメッセージ処理を行う（Ｓ１４）。そして、異常判定部１０は、この呼びかけメッセージ処理により溺没状態から回復したかを判断する（Ｓ１５）。この溺没状態からの回復判断では、たとえばセンサー８から取得した心拍数情報を参照し、溺没状態を表す状態か否かを判断すればよい。そして入浴者が溺没状態から回復した場合（Ｓ１５のＹＥＳ）、Ｓ１１に戻って入浴モニタリングを継続する。また制御部１２は、溺没状態から回復しないと異常判定部１０が判定した場合（Ｓ１５のＮＯ）、排水栓６を開状態にして浴槽水（ＢＷ）の排水処理を行う（Ｓ１６）とともに、異常報知部１６を介して外部に対して浴槽内での溺没による異常状態が発生していることを報知する（Ｓ１７）。
【００２０】
＜第１の実施の形態の効果＞
この第１の実施の形態によれば、次の効果が得られる。
(1) 入浴者の心拍数などの生体情報に基づいて浴槽水ＢＷへの溺没状態を迅速に把握して、浴槽水の排出処理を行うことで、入浴中の居眠りや意識レベルの低下、その他の身体異常の発生により、浴槽からの脱出や、呼吸を確保するための動作が取れない状態となっても、溺没状態から開放し、入浴者の呼吸が可能な状態にすることができる。
(2) 入浴者の溺没状態を継続的に監視し、早急に浴槽水の排水を行うことで、浴槽水への溺没による事故の発生を回避できる。
(3) 入浴者への呼びかけを契機に、心拍数情報に基づいて溺没状態からの回復を把握することで、溺没による異常入浴状態に対する早急な排水機能による安全性の向上と、浴槽水ＢＷの無駄な排出を抑える風呂機能の利便性を両立させることができる。
(4) 生体情報を利用して、入浴中の判断および溺没による異常入浴状態の判断を行うことで、入浴者に対する監視負荷を少なくし、プライバシーが確保できるとともに、浴室内に多数のセンサーを用いる必要がなく、部品数の削減や、検出処理の迅速化が図れる。
【００２１】
〔第２の実施の形態〕
図５は、第２の実施の形態に係る浴室異常検知システムを示している。図５に示す構成は一例であり、本発明が図５に示す構成に限定されるものではない。また図５において、図１と同様の構成には同一の符号を付している。
この第２の実施の形態に係る浴室異常検知システム３０では、既述の検知システム２（図１）に加えてセンサー３２を備えている。
このセンサー３２は、浴槽４内の湯水の水位、または水位変化のあり、なしを検出する手段の一例であり、この検出出力は、入浴か否か、入浴中の人の動きを表す。センサー３２には、たとえば、水位センサーとして、浴槽内の水面を光学的に測定するものや、浴槽４内や図示しない給湯器の配管内での水圧を検出し、この水圧に応じた水位を算出するものを用いればよい。
また、その他の構成は第１の実施の形態と同一であるので、同一符号を付し、その説明を割愛する。
【００２２】
＜入浴の見守り処理＞
浴槽水ＢＷの水位Ｌ１は、たとえば図６のＡに示すように、入浴者が浴槽４内に入ることで水位Ｌ２に上昇する。センサー３２が水位Ｌ２以上を検出すれば、入浴者の入浴状態を示す検出出力が得られる。
図６のＢは、異常状態の一例として、溺没状態を示している。
このときセンサー８は、たとえば入浴中に居眠りや意識混濁などが発生し、顔面が溺没状態となっている入浴者の生体情報を収集する。この実施の形態では、センサー８として、入浴者の心拍数を計測する心拍センサーを用いており、検出した心拍数の結果を逐一異常判定部１０に出力する。
また、センサー３２は、溺没状態になったことにより浴槽水ＢＷの水位がＬ２からＬ３に上昇したことを検出し、その検出結果を異常判定部１０に出力する。
異常判定部１０では、たとえばセンサー８から通知される心拍数情報と、センサー３２から取得した水位Ｌ３への遷移を監視して、浴槽４内に人が居るか否かを判断するとともに、その入浴状態を監視し、異常の判定処理を実行する。異常判定部１０は、たとえば心拍数の値やその値の遷移状態と、水位Ｌ２からＬ３への上昇に基づき、入浴者が溺没状態に陥っている、または溺没状態に陥る可能性があると判断し、異常入浴状態との判定結果を出力する。異常判定部１０は、この判定結果を制御部１２に通知する。
【００２３】
制御部１２は、たとえば異常入浴状態との判定結果に基づいて、呼びかけ処理などを行うとともに排水栓６を開状態にし、浴槽水ＢＷの排出によって水位を低下させる。
このとき制御部１２は、センサー３２からの検出結果を受けて浴槽４内の水位の低下を監視する。そして、浴槽４内の湯水が全部または所定の水位になるまで排出されると、制御部１２が排水栓６に対して閉止指示を出力する。なお、浴槽水ＢＷの排出後の水位は、たとえば入浴者が溺没しない状態となる水位を予め設定し、その水位になったときに排水栓６を閉止させてもよく、またはセンサー８、３２の検出結果から入浴者が溺没状態から開放されたか否かを判断してもよい。
【００２４】
＜入浴モニタリング＞
図７は入浴をモニタリングによる浴室異常検知の処理手順の一例を示している。この処理手順や処理内容は一例であり、本発明が斯かる構成に限定されない。またこの入力モニタリング処理は、浴室異常検知方法やそのプログラム処理の一例である。
異常判定部１０は、センサー８から入浴者の生体情報を取得する（Ｓ２１）とともに、センサー３２から水位情報を取得して（Ｓ２２）、入浴状態の判断を行う（Ｓ２３）。異常判定部１０は、心拍数の変化状態や浴槽水ＢＷの水位変化の状態を組み合せて、入浴者が溺没状態か否かを判定し（Ｓ２４）、溺没状態で無ければ（Ｓ２４のＮＯ）、生体情報の取得（Ｓ２１）、に戻る。
【００２５】
また制御部１２は、入浴者が溺没状態であると判定された場合（Ｓ２４のＹＥＳ）、メッセージ報知部１４に指示情報を出力し、入浴者への呼びかけメッセージ処理を行う（Ｓ２５）。そして、異常判定部１０は、この呼びかけメッセージ処理により溺没状態から回復したかを判断する（Ｓ２６）。この溺没状態からの回復判断では、たとえばセンサー８から取得した心拍数情報やセンサー３２が検出した水位の低下を参照し、溺没状態を表す状態か否かを判断すればよい。そして入浴者が溺没状態から回復した場合（Ｓ２６のＹＥＳ）、Ｓ２１に戻って入浴モニタリングを継続する。また制御部１２は、溺没状態から回復しないと異常判定部１０が判定した場合（Ｓ２６のＮＯ）、排水栓６を開状態にして浴槽水（ＢＷ）の排水処理を行う（Ｓ２７）とともに、異常報知部１６を介して外部に対して浴槽内での溺没による異常状態が発生していることを報知する（Ｓ２８）。
【００２６】
＜第２の実施の形態の効果＞
この第２の実施の形態によれば、第１の実施の形態に加え、次のような効果が得られる。
(1) 生体情報である心拍数に加え、水位変化の情報を組み合せることで、浴槽水ＢＷ内に体の一部が溺没し、またはそのおそれがあることの判定精度が向上し、より迅速に浴槽水への溺没状態からの回復を図ることができるので、入浴に対する安全性の向上が図れる。
(2) 入浴者の年齢や心肺機能の強弱など、個性ある生体的な特徴に対し、水位の変化を判断要素に加えることで、入浴者の溺没状態の判定精度が向上し、溺没による事故の発生を抑えることができる。
【００２７】
〔第３の実施の形態〕
図８は、第３の実施の形態に係る浴室異常検知システムを示している。図８に示す構成は一例であり、本発明が図８に示す構成に限定されるものではない。また図８において、図２と同様の構成には同一の符号を付している。
この第３の実施の形態に係る浴室異常検知システム４０では、既述の検知システム２（図１）に加えてセンサー４２を備えている。
このセンサー４２は、浴槽４や浴室内の入浴者の在、不在を検出する本開示の人監視センサーの一例であり、たとえば光学センサーを用いればよい。センサー４２で検出した入浴者の在、不在情報は異常判定部１０に送信され、センサー８の生体情報と組み合せて入浴者の溺没状態の判定に利用される。
また、その他の構成は第１の実施の形態と同一であるので、同一符号を付し、その説明を割愛する。
【００２８】
＜入浴の見守り処理＞
センサー４２は、たとえば図８のＡに示すように、浴槽４や浴室の所定位置や所定高さに向けて入浴者を検出するセンサー領域が設定されている。このセンサー４２は、たとえば浴室内の壁やリモコン装置１８等に設置されており、所定方向および所定範囲に向けてレーザー光や赤外光などを発光している。また、人体が発する赤外光を受光する構造でもよい。センサー４２は、正常な体勢で浴槽４内にいる入浴者を検出する。このように入浴者が存在しているか否かの検出情報が異常判定部１０に通知される。また、このとき異常判定部１０には、センサー８が検出した生体情報が通知される。
図８のＢは、異常入浴状態の一例として、溺没状態を示している。
このときセンサー８は、たとえば入浴中に居眠りや意識混濁などが発生し、顔面が溺没状態となっている入浴者の生体情報を収集する。そしてセンサー８は、たとえば生体情報の一例として、入浴者の心拍数を計測し、その結果を逐一異常判定部１０に出力する。
また、センサー４２は、浴槽４の近傍に設定したセンサー領域に入浴者が存在していないこと示す検出結果を取得し、その結果を異常判定部１０に出力する。
【００２９】
異常判定部１０では、たとえばセンサー８から通知された心拍数情報により浴槽４内に入浴者が居ると判断するとともに、センサー４２から入浴者が不在の検出結果により、溺没による異常入浴状態であるとの判定を行う。異常判定部１０は、この判定結果を制御部１２に通知する。
制御部１２は、たとえば異常入浴状態との判定結果に基づいて、呼びかけ処理などを行うとともに排水栓６を開状態にし、浴槽水ＢＷの排出によって水位を低下させる。
このとき制御部１２は、たとえば呼びかけ処理を行った後に、センサー４２の検出により入浴者が存在するとの検出結果に変った場合、排水栓６を閉状態に維持し、または排水処理の実施後であれば、排水栓６を開状態から閉状態に切替える。
【００３０】
＜入浴モニタリング＞
図９は入浴をモニタリングによる浴室異常検知の処理手順の一例を示している。この処理手順や処理内容は一例であり、本発明が斯かる構成に限定されない。またこの入力モニタリング処理は、浴室異常検知方法やそのプログラム処理の一例である。
異常判定部１０は、センサー８から入浴者の生体情報を取得する（Ｓ３１）とともに、センサー４２から入浴者の在、不在情報を取得して（Ｓ３２）、入浴状態の判断を行う（Ｓ３３）。異常判定部１０は、心拍数の変化状態と入浴者の在、不在情報とを組み合せて、入浴者が溺没状態か否かを判定し（Ｓ３４）、溺没状態で無ければ（Ｓ３４のＮＯ）、生体情報の取得（Ｓ３１）、に戻る。
【００３１】
また制御部１２は、入浴者が溺没状態であると判定された場合（Ｓ３４のＹＥＳ）、メッセージ報知部１４に指示情報を出力し、入浴者への呼びかけメッセージ処理を行う（Ｓ３５）。そして、異常判定部１０は、この呼びかけメッセージ処理により溺没状態から回復したかを判断する（Ｓ３６）。この溺没状態からの回復判断では、たとえばセンサー８から取得した心拍数情報やセンサー４２が検出した入浴者の在、不在情報を参照し、溺没状態を表す状態か否かを判断すればよい。そして入浴者が溺没状態から回復した場合（Ｓ３６のＹＥＳ）、Ｓ３１に戻って入浴モニタリングを継続する。また制御部１２は、溺没状態から回復しないと異常判定部１０が判定した場合（Ｓ３６のＮＯ）、排水栓６を開状態にして浴槽水（ＢＷ）の排水処理を行う（Ｓ３７）とともに、異常報知部１６を介して外部に対して浴槽内での溺没による異常状態が発生していることを報知する（Ｓ３８）。
【００３２】
＜第３の実施の形態の効果＞
この第３の実施の形態によれば、第１の実施の形態や第２の実施の形態に加え、次のような効果が得られる。
(1) 生体情報と、浴槽４の近傍にセンサー領域を設定して入浴者の在、不在の検出情報を組み合せることで、浴槽水ＢＷ内に入浴者が溺没している、またはそのおそれがあることの判定精度が向上し、より迅速に浴槽水への溺没状態からの回復を図ることができるので、入浴に対する安全性の向上が図れる。
(2) 入浴者の年齢や心肺機能の強弱など、個性ある生体的な特徴に対し、入浴者の在、不在を直接検出した情報を組み合せて判断要素とすることで、入浴者の溺没状態の判定精度が向上し、溺没による事故の発生を抑えることができる。
【実施例１】
【００３３】
＜給湯システム＞
図１０は、浴室異常検知システムの実施例を示している。図１０に示す構成は一例であり、斯かる構成に本発明が限定されるものではない。
この実施例に係る浴室異常検知システム２は給湯システムに設置されており、給湯器５０、浴室リモコン５２および台所リモコン５４を備える。
給湯器５０には給湯制御部５６、水位を検出するセンサー３２などが備えられる。給湯制御部５６にはプロセッサ５８、音センサー回路部６０、通信制御部６２が備えられる。プロセッサ５８は通信制御部６２を通じて浴室リモコン５２および台所リモコン５４の連係動作などを制御する。音センサー回路部６０は浴室リモコン５２や台所リモコン５４のマイクロフォンの音声入力を検出し、入浴者の動きあり、なしなどの判断に利用する。
さらに、給湯制御部５６は、浴槽４に設置された排水栓６や生体情報を取得するセンサー８と接続されており、排水栓６の開閉による浴槽水ＢＷの排水処理制御や入浴者の心拍数情報などの検出処理を行う。
【００３４】
給湯制御部５６は浴室リモコン５２および台所リモコン５４と伝送線６４を以て接続されている。この伝送線６４は制御信号の通信の他、入浴者の検知出力や音声信号を伝送する音声伝送ラインを構成する。この伝送線６４は無線を以て構成してもよい。
浴室リモコン５２には入浴状態を監視するセンサー４２、浴室リモコン制御部６６、表示部６８、スピーカ７０、マイクロフォン７２、入浴者に対する呼びかけに対して応答させる応答ボタン７４などを備える。なお、センサー４２は浴槽４内の入浴者を検知できる位置としてたとえば、高所＝天井に設置し、浴室リモコン５２に接続してもよい。
台所リモコン５４には、台所リモコン制御部７６、表示部７８、スピーカ８０、マイクロフォン８２などを備える。
台所リモコン制御部７６には異常判定出力や異常報知出力を取り出す端子部８４が備えられる。この端子部８４は外部システム８６に接続され、既述の異常入浴状態の判定出力や異常報知出力を含む情報の送受が可能である。具体的には端子部８４に外部セキュリティシステムのセキュリティボックスを接続すれば、端子部８４を介して既述の異常入浴状態の判定出力や異常報知出力を含む情報の送受が可能である。この端子部８４は給湯制御部５６や浴室リモコン制御部６６に備えてもよい。
浴室リモコン５２および台所リモコン５４は給湯制御部５６の音センサー回路部６０および通信制御部６２により、マイクロフォン７２−スピーカ７０、マイクロフォン８２−スピーカ８０を通してインターフォン機能を構成する。
【００３５】
＜給湯器５０＞
図１１は、給湯器５０の一例を示している。図１１において、図１０と同一部分には同一符号を付してある。
給水Ｗは給水管９０を通して熱交換器９２に流れるとともに、給水管９０から分岐したバイパス管９４を通して混合弁９６に至る。温度センサー９８は給水温度を検出する。熱交換器９２はバーナー１００で燃焼する燃料ガスＧの燃焼熱を給水Ｗに熱交換する。この熱交換で得られた温水ＨＷは、出湯管１０２に設置された混合弁９６に至る。混合弁９６は温水ＨＷとバイパス管９４からの給水Ｗを混合する。給水Ｗを混合した温水ＨＷは、温度センサー１０４で検出される。この検出温度によって混合弁９６のポートａ、ｂの開度が調整され、給湯管１０６から設定温度の温水ＨＷが得られる。
【００３６】
浴槽４への注湯時、温水ＨＷが給湯管１０６から分岐した注湯管１０８および追焚管１１０を通して浴槽４に供給される。注湯管１０８に供給する温水ＨＷは、開閉弁１１２により調整される。
追焚管１１０には浴槽水ＢＷを熱交換器１１４に流す戻り管１１０−１、熱交換器１１４から浴槽水ＢＷを浴槽４に戻す往き管１１０−２が備えられる。熱交換器１１４はバーナー１１６で燃焼する燃料ガスＧの燃焼熱を浴槽水ＢＷに熱交換する。
戻り管１１０−１に設置された循環ポンプ１１８は、追焚時または注湯時に駆動し、浴槽水ＢＷまたは温水ＨＷを、追焚管１１０を通して浴槽４に循環させる。
温度センサー１２０は循環する浴槽水ＢＷの温度を検出する。また、センサー３２は浴槽水位を検出する。
【００３７】
＜制御部１３０＞
図１２は、浴室異常検知システム２の制御部１３０を示している。この制御部１３０は給湯制御部５６、浴室リモコン制御部６６および台所リモコン制御部７６を含み、給湯システムの水位検出機能や音声出力機能などを活用し、入浴中のモニタリングとともに入浴中に入浴者に生じる異常入浴状態の判定および浴槽水ＢＷの排水処理を行う。
給湯制御部５６にはコンピュータが搭載され、プロセッサ５８、メモリ部１３２、入出力部（Ｉ／Ｏ）１３４、システム通信部１３６が備えられる。プロセッサ５８はメモリ部１３２にあるＯＳ（Operating System）や異常検知プログラムを実行する。メモリ部１３２にはＲＯＭ（Read-Only Memory）、ＥＥＰＲＯＭ（Electrically Erasable Programmable Read-Only Memory ）、ＲＡＭ（Random-Access Memory）などの記憶素子が備えられ、ＯＳや異常検知プログラムが格納される。
【００３８】
Ｉ／Ｏ１３４にはプロセッサ５８の制御により、（生体）センサー８、（水位）センサー３２、温度センサー９８、１０４、１２０などの検出素子の検出出力が取り込まれ、浴槽４の排水栓６、混合弁９６、開閉弁１１２、循環ポンプ１１８、バーナー燃焼制御部１３７などの機能部に対する制御出力が得られる。
システム通信部１３６は既述の通信制御部６２の一例であり、プロセッサ５８の制御により、浴室リモコン制御部６６、台所リモコン制御部７６と連係される。（水位）センサー３２の検出出力はシステム通信部１３６から浴室リモコン制御部６６に伝送される。
【００３９】
浴室リモコン制御部６６にはコンピュータが搭載され、プロセッサ１３８、メモリ部１４０、Ｉ／Ｏ１４２、システム通信部１４４、音声変復調部１４６が備えられる。プロセッサ１３８はメモリ部１４０にあるＯＳをベースに給湯制御部５６と連係して入浴異常検知プログラムを実行する。つまり、プロセッサ１３８は既述の異常判定部１０として機能する。メモリ部１４０にはＲＯＭ、ＥＥＰＲＯＭ、ＲＡＭなどの記憶素子が備えられ、ＯＳや異常検知プログラムが格納される。メモリ部１４０は、プロセッサ１３８との協調によりタイマー機能を実現してもよい。
Ｉ／Ｏ１４２にはプロセッサ１３８の制御により、センサー４２の検出出力、応答ボタン７４、スイッチ（ＳＷ）１５８のＯＮ、ＯＦＦ入力、音声変復調部１４６、１５６からの音声入力、音声変復調部１４６、１５６への音声出力、表示部６８に対する表示出力、ＬＥＤ（Light Emitting Diode）１６０の制御出力の入出力が行われる。
【００４０】
システム通信部１４４は、プロセッサ１３８の制御により、給湯制御部５６、台所リモコン制御部７６が無線または有線により接続が可能であるとともに、インターネット回線などとの通信接続、公衆回線を通じて携帯電話やスマートフォンなどの通信端末とのデータ通信が可能である。
音声変復調部１４６は音声による搬送信号の変調や、搬送信号から音声信号の復調を行う。この音声変復調部１４６にはＩ／Ｏ１４２が接続され、マイクロフォン７２からの音声入力が取り込まれ、スピーカ７０に対する音声出力が得られる。この音声変復調部１４６に接続されるスピーカ７０は、既述のメッセージ報知部１４および異常報知部１６の一例であり、メッセージ報知や異常報知に用いられる。
【００４１】
台所リモコン制御部７６にはコンピュータが搭載され、プロセッサ１４８、メモリ部１５０、システム通信部１５２、Ｉ／Ｏ１５４、音声変復調部１５６が備えられる。プロセッサ１４８はメモリ部１５０にあるＯＳをベースに給湯制御部５６と連係して異常検知プログラムを実行する。メモリ部１５０にはＲＯＭ、ＥＥＰＲＯＭ、ＲＡＭなどの記憶素子が備えられ、ＯＳや異常検知プログラムが格納される。
Ｉ／Ｏ１５４にはプロセッサ１４８の制御により、ＳＷ１６２のＯＮ、ＯＦＦ入力、音声変復調部１４６、１５６からの入力などが取り込まれ、音声変復調部１４６、１５６への音声出力、表示部７８に対する表示出力、外部システム８６への判定出力または異常検知出力、ＬＥＤ１６４の制御出力が得られる。
【００４２】
システム通信部１５２には給湯制御部５６、浴室リモコン制御部６６が無線または有線により接続され、これらはプロセッサ１４８により制御される。
音声変復調部１５６は、既述の音声変復調部１４６と同様に、音声による搬送信号の変調や、搬送信号から音声信号の復調を行う。この音声変復調部１５６にはＩ／Ｏ１５４が接続され、マイクロフォン８２からの音声入力が取り込まれ、スピーカ８０に対する音声出力が得られる。この音声変復調部１５６に接続されるスピーカ８０は、既述のメッセージ報知部１４および異常報知部１６の一例であり、メッセージ報知や異常報知に用いられる。
【００４３】
＜入浴モニタリングの処理手順＞
図１３は、実施例に係る入浴をモニタリングし、浴室異常検知の処理手順を示している。この処理手順は、異常判定部１０におけるコンピュータ処理の一例である。
【００４４】
入浴モニタリングの開始に先立ち、初期化を実行する（Ｓ４１）。この初期化の後、（生体）センサー８、（水位）センサー３２、（人監視）センサー４２の検出情報を取り込み（Ｓ４２）、入浴者の生体情報から浴槽水への溺没の可能性を判断する（Ｓ４３）。この溺没の可能性判断では、第１の実施の形態で示すように、心拍数の変化の状態などを監視し、心拍数の急激な上昇、または急激な低下もしくは心停止の状態から判断すればよい。
生体情報に基づいた判断により、入浴者が溺没している可能性が無ければ（Ｓ４３のＮＯ）、Ｓ４１に戻り、入浴状態の監視を継続する。また、入浴者が溺没している可能性があると判断すれば（Ｓ４３のＹＥＳ）、（水位）センサー３２、（人監視）センサー４２の検出結果のいずれかまたはそれらを組み合せて、異常入浴状態を判断する（Ｓ４４）。
【００４５】
この溺没による異常入浴状態の判断から所定時間を計測し（Ｓ４５）、呼びかけメッセージを報知する（Ｓ４６）。異常入浴状態の判断後の時間計測では、たとえば一時的な計測状態の誤差や溺没状態からの回復の可能性を見るための処理であり、その計測時間は、入浴者に対する安全性と、入浴設備の利便性とを加味して設定すればよい。
呼びかけメッセージ報知の結果、反応があるかまたは各センサーの検出結果に変化があるかを判断する（Ｓ４７）。入浴者の反応は、たとえば浴室リモコン５２の応答ボタン７４の押下やマイクロフォン７２による音声の取込みから判断すればよい。
入浴者の反応またはセンサーの検出結果に変化が無い場合（Ｓ４７のＮＯ）、入浴者が溺没していると判断し、排水栓６を開状態にして（Ｓ４８）、浴槽水ＢＷの排出処理を行う。
また、入浴者の反応またはセンサーの検出結果に変化があった場合（Ｓ４７のＹＥＳ）、所定時間の計測（Ｓ４９）の後に、溺没状態が解消したかを判断する（Ｓ５０）。溺没状態の解消は、たとえば（生体）センサー８の検出情報とともに、（水位）センサー３２や（人監視）センサー４２の検出情報を組み合せて判断すればよい。
そして、溺没状態が解消していない（Ｓ５０のＮＯ）場合には、排水栓６を開状態にして（Ｓ４８）、浴槽水ＢＷを排出させる。また溺没状態が解消している場合（Ｓ５０のＹＥＳ）には、通常の入浴監視に戻る。
さらに、浴槽水ＢＷの排水処理では、排水栓６を所定時間開状態にし、または所定量の浴槽水ＢＷを排水したら排水栓６を閉状態にする（Ｓ５１）。排水栓６の開時間や排水量は、たとえば浴槽４の容積などを考慮し、入浴者の顔が水面に出る量になるまで排水させるように設定すればよい。すなわち、浴槽４には、入浴者の体の一部に浴槽水ＢＷの一部が残るように排水させる。
【００４６】
＜実施例１の効果＞
この実施例１によれば、次の効果が得られる。
(1) 入浴中に居眠りや身体の異常により、浴槽水内に溺没した場合でも、早期に異常入浴状態を把握し、浴槽水ＢＷを排出させることで、入浴者が呼吸可能な状態にすることで、入浴の安全性が高められる。
(2) 入浴者の溺没状態の可能性を把握した後、メッセージの呼びかけによる状態確認を発し、その応答状態によって溺没による異常入浴を確認して排水することで、入浴の安全性と、異常入浴状態でない場合の無駄な排水処理を行わず、利便性の確保ができる。
(3) 台所リモコン制御部７６などに異常判定出力や異常報知出力を取り出す端子部８４を備え、外部システム８６と既述の異常判定出力や異常報知出力を含む情報の送受により、斯かる情報を共有すれば、既存のセキュリティシステムなどの外部システム８６と相俟って入浴中の人の安全をより高めることができる。
(4) 浴槽水ＢＷの排出量を制御し、入浴者が呼吸可能な状態を確保するとともに、入浴者の体が完全に外気に触れない程度の浴槽水ＢＷを残すことで、排水後の入浴者の体温確保ができ、入浴の安全と利便性を確保することができる。
【実施例２】
【００４７】
図１４は、実施例２に係る浴室異常検知システムの構成例を示している。図１４に示す構成は一例である。
この実施例２に係る浴室異常検知システム１７０は、たとえば図１４のＡに示すように、浴槽４内の水位を検出するセンサー３２を備えるとともに、焦電センサー１７２を備える。この焦電センサー１７２は、本発明の（生体）センサー８の一例であり、生体情報として、浴槽４内にいる入浴者の動きを検出する人感センサーとして機能する。焦電センサー１７２は、少なくとも浴槽４内にいる人の動作を感知またはその動きをトレースして記憶可能なものであり、たとえば浴室の天井や壁面、または浴槽内に設置されたリモコン装置などに設置されてよい。焦電センサー１７２は、たとえば少なくとも浴槽４の内側であって、かつ浴槽水ＢＷの表面上に対してセンサー領域１７４があって入浴者の状態監視領域を設定している。これにより焦電センサー１７２は、入浴者が動作した場合、その動作の有無や、その動作量、動作範囲などの動作情報を取得する。この動作情報は、生体である入浴者の動きを監視したものであり、生体情報の一例である。
【００４８】
異常判定部１０は、たとえば図１４のＢに示すように、センサー３２の検出により水位の変化がＬ２→Ｌ３に変化した情報を得るとともに、焦電センサー１７２の生体情報とを組み合せることで、入浴者の異常状態の発生を判断する。
そして、制御部１２は、たとえば図１４のＣに示すように、入浴者が異常入浴状態であると判断した場合、排水栓６を開状態にさせて浴槽４から浴槽水ＢＷの排出を実行させる。
なお、その他の構成は第１の実施の形態と同一であるので、同一符号を付し、その説明を割愛する
【００４９】
＜入浴状態の判断＞
図１５は、入浴状態の判定機能の一例を示している。
異常判定部１０は、たとえば焦電センサー１７２が検出した入浴者の動作状態とセンサー３２が検出した水位またはその変化量から入浴者の状態を判断する。つまり、異常判定部１０は、センサー３２の水位やその変化により浴槽４内に人が居るか否かを判断し、さらにセンサー１７２の検出結果と組み合せることで、正常な入浴の体勢か、溺没もしくはそのおそれのある体勢になっているかを判断する。
（１）入浴状態の判定結果として、たとえば焦電センサー１７２が動きを検出した場合であって、センサー３２の検出水位がＬ２の場合、入浴者が存在しているとともに、正常な入浴状態と判断する。
（２）焦電センサー１７２が動きを検出していない場合であって、センサー３２の検出水位がＬ１の場合、入浴者は不在であり入浴状態の判断はなしとなる。
（３）焦電センサー１７２が動きを検出した場合であって、センサー３２の検出水位がＬ２からＬ３に変化した場合、入浴者が存在しているとともに、水位が高くなったことから溺没のおそれがあると判断する。
（４）焦電センサー１７２が動きを検出していない場合であって、センサー３２の検出水位がＬ２からＬ３に変化した場合、入浴者が存在しているとともに、溺没状態と判断する。
なお、ここに示す入浴状態の判断の例は一例であり、各センサーの検出結果からより詳細に入浴状態を判断してもよい。
【００５０】
＜入浴モニタリングの処理手順＞
図１６は、実施例２に係る入浴をモニタリングし、浴室異常検知の処理手順を示している。この処理手順は、異常判定部１０におけるコンピュータ処理の一例である。
入浴モニタリングの開始に先立ち、初期化を実行する（Ｓ６１）。この初期化の後、焦電センサー１７２、水位センサー３２の検出情報を取り込み（Ｓ６２）、これらの検出情報を利用して、溺没による異常入浴状態か否かを判断する（Ｓ６３）。入浴者が溺没している可能性が無ければ（Ｓ６３のＮＯ）、入浴状態の監視を継続する。
入浴者が溺没している可能性があると判断すれば（Ｓ６３のＹＥＳ）、呼びかけメッセージを報知する（Ｓ６４）。呼びかけメッセージ報知の結果、反応があるかまたは各センサーの検出結果に変化があるかを判断する（Ｓ６５）。入浴者の反応は、たとえば浴室リモコン装置５２の応答ボタン７４の押下やマイクロフォン５２による音声の取込みから判断すればよい。
【００５１】
入浴者の反応または焦電センサー１７２やセンサー３２の検出結果に変化が無い場合（Ｓ６５のＮＯ）、入浴者が溺没していると判断し、排水栓６を開状態にして（Ｓ６６）、浴槽水ＢＷの排出処理を行う。
また、入浴者の反応またはセンサーの検出結果に変化があった場合（Ｓ６５のＹＥＳ）、所定時間の計測（Ｓ６７）の後に、溺没状態が解消したかを判断する（Ｓ６８）。溺没状態の解消は、たとえば焦電センサー１７２の検出情報とともに、水位センサー３２の検出情報を組み合せて判断すればよい。
この呼びかけメッセージ報知からの時間計測（Ｓ６７）は、たとえば計測結果の誤差の峻別や一時的な回復か否かを判断するための処理であり、計測時間は、入浴者に対する安全性と、入浴設備の利便性とを加味して設定すればよい。
そして、溺没状態が解消していない（Ｓ６８のＮＯ）場合には、排水栓６を開状態にして（Ｓ６６）、浴槽水ＢＷを排出させる。また溺没状態が解消している場合（Ｓ６８のＹＥＳ）には、通常の入浴監視に戻る。
【００５２】
＜実施例２の効果＞
この実施例２によれば、次のような効果が得られる。
(1) 入浴者の動作情報と浴槽水ＢＷの水位情報とを組み合せて溺没による異常入浴状態を監視し、浴槽水ＢＷを排出させて、入浴者が呼吸可能な状態にすることで、入浴の安全性が高められる。
(2) 入浴者の溺没状態の可能性を把握した後、メッセージの呼びかけによる状態確認を発し、その応答状態によって溺没による異常入浴を確認して排水することで、入浴の安全性と、異常入浴状態でない場合の無駄な排水処理を行わず、利便性の確保ができる。
〔他の実施の形態〕
【００５３】
(1) 上記実施の形態および実施例では、入浴者の生体情報と、これに加えて水位情報や在、不在状態の監視情報により入浴者の溺没による異常入浴状態を判断したときに排水栓６を開状態として浴槽水ＢＷの排出処理を行うことを示したがこれに限らない。浴室異常検知システム２では、たとえば入浴者が溺没状態となっていない場合でも、（生体）センサー８の検出情報により、溺没するおそれがある状態として、居眠りや身体の異常状態、心肺停止状態などの発生を異常入浴状態と判定して、浴槽水ＢＷの一部または全部を排出させてもよい。
なお、溺没のおそれがある場合には、たとえば呼びかけメッセージ処理の回数を増やすほか、応答までの時間計測を長くとって、浴槽水ＢＷを排出し難くするような条件を設定してもよい。
(2) 上記実施の形態および実施例では、入浴者の溺没状態の判断として、心拍センサーが検出した心拍数を利用する場合を示したがこれに限らない。入浴者の生体情報を検出するセンサー８として、たとえば入浴者の体温を検出する赤外線センサーや入浴者の脳波を検出する脳波計などを用いてもよい。
(3) 上記実施の形態では、溺没による異常入浴状態の判断として、入浴者の心拍数情報の変化のみから判断する場合を示したがこれに限らない。心拍数情報とともに、浴槽水ＢＷの温度情報を組み合せて溺没状態を判断してもよい。つまり、湯温と入浴による心拍状態との関係を示す情報を記憶しておき、通常の入浴状態による心拍の変化か、溺没状態になったときの変化かを詳細に分析可能にしてもよい。これにより、入浴開始時の体温上昇に伴う心拍数の上昇か、入浴時の溺没や入浴時のヒートショックなどによる無呼吸状態による心拍数の上昇かの区別が明確となり、入浴者の状態をより早く正確に把握することができる。
【００５４】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００５５】
この浴室異常検知システムによれば、生体情報から入浴者の異常の発生や異常入浴状態を判断し、浴槽水ＢＷの強制排出による溺没状態を解消させることで、入浴者の呼吸を確保し入浴の安全性を高めることができ、有用である。
【符号の説明】
【００５６】
２、３０、４０、１７０  浴室異常検知システム
４  浴槽
６  排水栓
８、３２、４２  センサー
１０  異常判定部
１２  制御部
１４  メッセージ報知部
１６  異常報知部
１８  リモコン装置
２０  排水管
５０  給湯器
５２  浴室リモコン
５４  台所リモコン
５６  給湯制御部
５８、１３８、１４８  プロセッサ
６０  音センサー回路部
６２  通信制御部
６４  伝送線
６６  浴室リモコン制御部
６８  表示部
７０  スピーカ
７２  マイクロフォン
７４  応答ボタン
７６  台所リモコン制御部
７８  表示部
８０  スピーカ
８２  マイクロフォン
８４  端子部
８６  外部システム
９０  給水管
９２  熱交換器
９４  バイパス管
９６  混合弁
９８  温度センサー
１００  バーナー
１０２  出湯管
１０４  温度センサー
１０６  給湯管
１０８  注湯管
１１０  追焚管
１１０−１  戻り管
１１０−２  往き管
１１２  開閉弁
１１４  熱交換器
１１６  バーナー
１１８  循環ポンプ
１２０  温度センサー
１３０  制御部
１３２、１４０、１５０  メモリ部
１３４、１４２、１５４  入出力部（Ｉ／Ｏ）
１３６  システム通信部
１３７  バーナー燃焼制御部
１４４、１５２  システム通信部
１４６、１５６  音声変復調部
１５８、１６２  スイッチ（ＳＷ）
１６０、１６４  ＬＥＤ
１７２  焦電センサー
１７４  センサー領域
【図１】
2020022678.tif 000003
【図２】
2020022678.tif 000004
【図３】
2020022678.tif 000005
【図４】
2020022678.tif 000006
【図５】
2020022678.tif 000007
【図６】
2020022678.tif 000008
【図７】
2020022678.tif 000009
【図８】
2020022678.tif 000010
【図９】
2020022678.tif 000011
【図１０】
2020022678.tif 000012
【図１１】
2020022678.tif 000013
【図１２】
2020022678.tif 000014
【図１３】
2020022678.tif 000015
【図１４】
2020022678.tif 000016
【図１５】
2020022678.tif 000017
【図１６】
2020022678.tif 000018